(57)【要約】【課題】クラックや防水シートの破損を生じることなく、位置ずれを吸収しつつ簡易な作業によって竪樋を設置して行くことのできる竪樋の取付け構造を提供する。【解決手段】控え金物１２を用いて竪樋１１を設置するため取付け構造であって、控え金物１２は、押付け頭部１５ａを備える張出しロッド部１５と、環状保持部１６とを含んで構成され、環状保持部１６は、環状に接合一体化されることで、内側に竪樋１１を保持する。環状保持部１６には、押付け頭部１５ａが押し付けられて張出しロッド部１５が連結される連結基部１７ａが設けられている。対向配置される連結基部１７ａと押付け頭部１５ａの各内側面１７ｂ、１５ｂには、係合凹凸部２０が形成されている。竪樋１１の外周面によって押付け頭部１５ａを連結基部１７ａに押し付けて、各内側面１５ｂ、１７ｂの係合凹凸部２０を係合させることで、連結基部１７ａと押付け頭部１５ａとを横方向に位置合せする。【選択図】図１
2013014937.tif 000002
【特許請求の範囲】
【請求項１】
複数の控え金物を用いて建物の外壁の壁面に沿って縦方向に設置される竪樋の取付け構造であって、
前記控え金物は、押付け頭部を備える張出しロッド部と、前記竪樋の外周面の断面形状に沿った内周面形状を備える環状保持部とを含んで構成され、
該環状保持部は、連結部と可動部とに２分割されており、該連結部と該可動部とは、一端部又は両端部で着脱可能に係合されて環状に接合一体化されることで、内側に前記竪樋を保持するようになっており、
前記環状保持部の連結部には、内側面に前記押付け頭部の内側面が押し付けられて前記張出しロッド部が連結される連結基部が設けられており、対向配置される前記連結基部の内側面及び前記押付け頭部の内側面には、互いに係合される係合凹凸部が形成されていて、前記連結基部と前記押付け頭部とを横方向に位置合せした状態で、前記係合凹凸部を互いに係合できるようになっており、
前記張出しロッド部は、前記押付け頭部とは反対側の部分を前記外壁に固定して、前記竪樋を前記外壁の壁面から離間させて支持すると共に、前記押付け頭部は、前記環状保持部の前記連結基部に形成された横長穴を介して前記連結基部の内側に配設されており、
前記環状保持部の前記連結部と前記可動部とを環状に接合一体化して、前記環状保持部の内側に前記竪樋が装着固定された際に、前記竪樋の外周面によって前記押付け頭部が前記連結基部に押し付けられて、これらの内側面の係合凹凸部を係合させることで、前記張出しロッド部に前記環状保持部を連結して、前記竪樋が前記外壁の壁面に沿って取り付けられている竪樋の取付け構造。
【請求項２】
前記竪樋の外周面と前記張出しロッド部の前記押付け頭部との間に介在して、パッキン部材が取り付けられており、前記環状保持部の内側に前記竪樋が装着固定された際に、前記パッキン部材を挟み込んだ状態で、前記竪樋の外周面によって前記押付け頭部が前記連結基部に押し付けられている請求項１記載の竪樋の取付け構造。
【請求項３】
前記連結基部の内側面や前記押付け頭部の内側面に設けられた前記係合凹凸部が、互いに噛合することで係合される、鋸刃断面形状を備える係合凹凸部となっている請求項１又は２記載の竪樋の取付け構造。
【請求項４】
前記張出しロッド部には、前記押付け頭部とは反対側の部分に雄ネジ部が設けられており、該雄ネジ部を前記外壁に固定された雌ネジスリーブ部材に螺着することで、前記環状保持部の前記外壁の壁面からの離れを調整可能な状態で、前記張出しロッド部が前記外壁に固定されている請求項１〜３のいずれか１項記載の竪樋の取付け構造。
【請求項５】
前記外壁が、モルタル塗り外壁である請求項１〜４のいずれか１項記載の竪樋の取付け構造。
【請求項６】
前記竪樋は、略４角形の断面形状を備えている請求項１〜５のいずれか１項記載の竪樋の取付け構造。
【発明の詳細な説明】
【技術分野】
【０００１】
本発明は、竪樋の取付け構造に関し、特に複数の控え金物を用いて建物の外壁の壁面に沿って縦方向に設置される竪樋の取付け構造に関する。
【背景技術】
【０００２】
例えば住宅建築物等の建物の屋根の先端部分に設置される軒樋に接合されて、軒樋に集められた雨水を縦方向に流下させる竪樋は、建物の外壁に上下方向に間隔をおいて取り付けられた複数の控え金物によって支持されて、外壁の壁面から離間した状態で設置されるのが一般的である（例えば、特許文献１、特許文献２参照）。
【０００３】
また、竪樋を外壁に設置するための控え金物は、例えば竪樋の外周面の断面形状に沿った内周面形状を備える環状保持部と、外壁への取付け部とを含んで構成されており、取付け部を介して外壁に固定されると共に、環状保持部に竪樋を装着して、竪樋を外壁に支持させるようになっている。また竪樋を外壁に沿って精度良く設置できるように、環状保持部の外壁の壁面からの離れを調整可能にした控え金物（例えば、特許文献１参照）や、環状保持部の取付け部に対する横方向の位置を調整可能にした控え金物（例えば、特許文献２参照）も開示されている。
【先行技術文献】
【特許文献】
【０００４】
【特許文献１】特開２００２−２４２３９１号公報
【特許文献２】特開２０１０−１９６３２３号公報
【発明の概要】
【発明が解決しようとする課題】
【０００５】
一方、従来の竪樋を建物の外壁に設置するための控え金物は、竪樋を外壁に沿って設置する作業を行う際に、竪樋の設置箇所に合わせて、取付け部を外壁に直接打ち込んだり、或いは取付け部に形成された取付け孔を介して、固定釘や固定ネジを外壁に打ち込んだりすることによって、建物の外壁に固定されることになるが、例えば外壁がモルタル塗り外壁である場合には、これらの控え金物を固定する際に、外壁にクラックを生じさせたり、外壁に埋設された防水シートを破損させたりして、漏水の要因になり易い。
【０００６】
これに対して、竪樋を外壁に沿って設置する前の外壁の施工時において、控え金物の取付け部を外壁に予め位置決めして取り付けておいたり、控え金物の取付け部が装着固定される固定金物を、外壁に予め位置決めして取り付けておくことによって、竪樋を外壁に沿って設置する作業を行う際に、外壁に控え金物の取付け部を直接打ち込んだり、外壁に固定釘や固定ネジを打ち込んだりすることを不要にして、外壁にクラックを生じたさせたり、防水シートを破損させたりするのを回避できるようにすることが考えられる。
【０００７】
しかしながら、竪樋を外壁に沿って設置する作業を行う際に、外壁の施工時に予め位置決めして取り付けられた控え金物の取付け部や固定金物に、環状保持部を連結しようとすると、実際の竪樋の設置箇所と、予め外壁に位置決めされている控え金物の取付け部や固定金物との間には、位置ずれが生じ易いことから、このような位置ずれを吸収しながら、簡易な作業によって容易に竪樋を設置して行くことを可能にする、新たな技術の開発が望まれている。
【０００８】
本発明は、外壁にクラックを生じさせたり、外壁に埋設された防水シートを破損させたりするのを回避できると共に、実際の竪樋の設置箇所と、予め外壁に位置決めされた控え金物の取付け部や固定金物との間に位置ずれが生じていても、このような位置ずれを吸収しながら、簡易な作業によって容易に竪樋を設置して行くことのできる竪樋の取付け構造を提供することを目的とする。
【課題を解決するための手段】
【０００９】
本発明は、複数の控え金物を用いて建物の外壁の壁面に沿って縦方向に設置される竪樋の取付け構造であって、前記控え金物は、押付け頭部を備える張出しロッド部と、前記竪樋の外周面の断面形状に沿った内周面形状を備える環状保持部とを含んで構成され、該環状保持部は、連結部と可動部とに２分割されており、該連結部と該可動部とは、一端部又は両端部で着脱可能に係合されて環状に接合一体化されることで、内側に前記竪樋を保持するようになっており、前記環状保持部の連結部には、内側面に前記押付け頭部の内側面が押し付けられて前記張出しロッド部が連結される連結基部が設けられており、対向配置される前記連結基部の内側面及び前記押付け頭部の内側面には、互いに係合される係合凹凸部が形成されていて、前記連結基部と前記押付け頭部とを横方向に位置合せした状態で、前記係合凹凸部を互いに係合できるようになっており、前記張出しロッド部は、前記押付け頭部とは反対側の部分を前記外壁に固定して、前記竪樋を前記外壁の壁面から離間させて支持すると共に、前記押付け頭部は、前記環状保持部の前記連結基部に形成された横長穴を介して前記連結基部の内側に配設されており、前記環状保持部の前記連結部と前記可動部とを環状に接合一体化して、前記環状保持部の内側に前記竪樋が装着固定された際に、前記竪樋の外周面によって前記押付け頭部が前記連結基部に押し付けられて、これらの内側面の係合凹凸部を係合させることで、前記張出しロッド部に前記環状保持部を連結して、前記竪樋が前記外壁の壁面に沿って取り付けられている竪樋の取付け構造を提供することにより、上記目的を達成したものである。
【００１０】
そして、本発明の竪樋の取付け構造は、前記竪樋の外周面と前記張出しロッド部の前記押付け頭部との間に介在して、パッキン部材が取り付けられており、前記環状保持部の内側に前記竪樋が装着固定された際に、前記パッキン部材を挟み込んだ状態で、前記竪樋の外周面によって前記押付け頭部が前記連結基部に押し付けられていることが好ましい。
【００１１】
また、本発明の竪樋の取付け構造は、前記連結基部の内側面や前記押付け頭部の内側面に設けられた前記係合凹凸部が、互いに噛合することで係合される、鋸刃断面形状を備える係合凹凸部となっていることが好ましい。
【００１２】
さらに、本発明の竪樋の取付け構造は、前記張出しロッド部には、前記押付け頭部とは反対側の部分に雄ネジ部が設けられており、該雄ネジ部を前記外壁に固定された雌ネジスリーブ部材に螺着することで、前記環状保持部の前記外壁の壁面からの離れを調整可能な状態で、前記張出しロッド部が前記外壁に固定されていることが好ましい。
【００１３】
さらにまた、本発明の竪樋の取付け構造は、前記外壁が、モルタル塗り外壁であることが好ましい。
【００１４】
また、本発明の竪樋の取付け構造は、前記竪樋が、略４角形の断面形状を備えていることが好ましい。
【発明の効果】
【００１５】
本発明の竪樋の取付け構造によれば、外壁にクラックを生じさせたり、外壁に埋設された防水シートを破損させたりするのを回避できると共に、実際の竪樋の設置箇所と、予め外壁に位置決めされた控え金物の取付け部や固定金物との間に位置ずれが生ていても、このような位置ずれを吸収しながら、簡易な作業によって容易に竪樋を設置して行くことができる。
【図面の簡単な説明】
【００１６】
【図１】本発明の好ましい一実施形態に係る竪樋の取付け構造の構成を説明する平断面図である。
【図２】図１のＡ−Ａに沿った縦断面図である。
【図３】図１のＢ−Ｂに沿った控え金物及び竪樋の部分背面図である。
【図４】モルタルを塗る前の状態の図２のＣ部拡大断面図である。
【図５】雌ネジスリーブ部材の斜視図である。
【図６】竪樋の取付け構造の他の形態を例示する略示平断面図である。
【図７】竪樋の取付け構造の更に他の形態を例示する略示平断面図である。
【発明を実施するための形態】
【００１７】
図１及び図２に示す本発明の好ましい一実施形態に係る竪樋の取付け構造１０は、建物として、例えば木造住宅建築物の屋根の先端部分に設置される軒樋（図示せず）に接合されて、軒樋に集められた雨水を縦方向に流下させる竪樋１１を、例えば６００〜１２００ｍｍ程度の上下方向のピッチで建物の外壁１３に取り付けられた複数の控え金物１２を用いて、建物の外壁１３の壁面１３ａに沿って、当該壁面１３ａから離間させた状態で、縦方向に取り付けるための構造として採用されたものである。
【００１８】
本実施形態では、外壁１３は、例えばモルタル塗り外壁となっており、竪樋の取付け構造１０は、モルタル塗り外壁１３の施工時に、雌ネジスリーブ部材２２を、固定金物として外壁１３に予め位置決めして取り付けておくことによって、竪樋１１を外壁１３に沿って設置する作業を行う際に、外壁１３に向けて控え金物を直接打ち込んだり、控え金物の取付け部から固定釘や固定ネジを外壁１３に向けて打ち込むことを不要にして、外壁１３にクラックを生じたさせたり、外壁１３の内部に配設された防水シート１４を破損させたりするのを回避できるようにする機能を備える。また、本実施形態の竪樋の取付け構造１０は、竪樋１１を外壁１３に沿って設置する作業を行う際に、実際の竪樋１１の設置箇所と、予め位置決めされた雌ネジスリーブ部材２２との間に位置ずれが生じていても、このような位置ずれを吸収しながら、容易に竪樋１１を設置して行くことができるようにする機能を備える。
【００１９】
そして、本実施形態の竪樋の取付け構造１０は、図１〜図３に示すように、複数の控え金物１２を用いて建物の外壁１３の壁面１３ａに沿って竪樋１１を縦方向に設置するため取付け構造であって、控え金物１２は、押付け頭部１５ａを備える、外壁１３への取付け部としての張出しロッド部１５と、竪樋１１の外周面の断面形状に沿った内周面形状を備える環状保持部１６とを含んで構成され、環状保持部１６は、連結部１７と可動部１８とに２分割されており、連結部１７と可動部１８とは、一端部同志がピン結合部１９ａによって回動可能に接合していると共に、他端部同志が着脱結合部１９ｂによって着脱可能に係合されて環状に接合一体化されることで、内側に竪樋１１を保持するようになっている。
【００２０】
環状保持部１６の連結部１７には、内側面１７ｂに押付け頭部１５ａの内側面１５ｂが押し付けられて張出しロッド部１５が連結される連結基部１７ａが設けられており、対向配置される連結基部１７ａの内側面１７ｂ及び押付け頭部１５ａの内側面１５ｂには、互いに係合される係合凹凸部２０が形成されていて、連結基部１７ａと押付け頭部１５ａとを横方向に位置合せした状態で、係合凹凸部２０を互いに係合できるようになっている。張出しロッド部１５は、押付け頭部１５ａとは反対側の部分を外壁１３に固定して、竪樋１１を外壁１３の壁面１３ａから離間させて支持すると共に、押付け頭部１５ａは、環状保持部１６の連結部１７の連結基部１７ａに形成された横長穴２１（図３参照）を介して連結基部１７ａの内側に配設されている。
【００２１】
環状保持部１６の連結部１７と可動部１８とを環状に接合一体化して、環状保持部１６の内側に竪樋１１が装着固定された際に、竪樋１１の外周面によって押付け頭部１５ａが連結基部１７ａに押し付けられて、これらの内側面１５ｂ，１７ｂの係合凹凸部２０を互いに係合させることで、張出しロッド部１５に環状保持部１６を連結して、竪樋１１が外壁１３の壁面１３ａに沿って取り付けられている。なお、図１及び図２では、１箇所の控え金物１２のみが示されており、他の控え金物１２は省略して示されているが、他の控え金物１２による竪樋の取付け構造１０も、図１及び図２と同様の構成を備えている。
【００２２】
また、本実施形態では、張出しロッド部１５には、押付け頭部１５ａとは反対側の部分に雄ネジ部１５ｃ（図２参照）が設けられており、この雄ネジ部１５ｃを外壁１３に固定された固定金物としての雌ネジスリーブ部材２２に螺着することで、環状保持部１６の外壁１３の壁面１３ｂからの離れを調整可能な状態で、張出しロッド部１５が外壁１３に固定されている。
【００２３】
本実施形態では、竪樋１１は、例えば金属製又は合成樹脂製の公知の中空パイプ形状の部材であって、略４角形の断面形状として、例えば縦横３０〜７５ｍｍ程度の略正方形の断面形状を備えている。竪樋１１は、公知の接合手段を用いて、上端部分を屋根の先端部分に設置された軒樋（図示せず）に接合すると共に、下端部分を例えば排水ピットに開口させて、軒樋に集められた雨水を排水ピットに向けて縦方向に流下させる。竪樋１１は、控え金物１２を複数用いて、建物の外壁１３の壁面１３ａに沿って延設して、壁面１３ａから例えば１５〜６０ｍｍ程度離間した状態で取り付けられる。
【００２４】
竪樋１１を外壁１３の壁面１３ａに沿って取り付けるための控え金物１２は、例えば金属製又は合成樹脂製の成形品であって、上述のように、張出しロッド部１５と環状保持部１６とを含んで構成される。また、環状保持部１６は、略コの字断面形状の連結部１７とコの字断面形状の可動部１８とに２分割されており、連結部１７と可動部１８とは、上述のように、一端部同志が公知のピン結合部１９ａによって回動可能に接合していると共に、他端部同志が公知の着脱結合部１９ｂによって着脱可能に係合できるようになっている。連結部１７と可動部１８とが環状に接合一体化された際に、環状保持部１６は、連結部１７の連結基部１７ａの部分を除いて、略正方形の断面形状の竪樋１１の外周面形状に沿った、これと同様の大きさの、略正方形の内周面形状を備えることになる。これによって、竪樋１１は、環状に接合一体化された環状保持部１６の内側に保持された際に、これの外周面によって、連結部１７の連結基部１７ａの内側に配設された張出しロッド部１５の押付け頭部１５ａを、連結基部１７ａの内側面１７ｂに向けて効果的に押し付けることができるようになっている。
【００２５】
本実施形態では、控え金物１２の環状保持部１６の連結部１７には、略コの字断面形状の中間辺部の中央部分が段差部を介して外側に突出していることで、連結基部１７ａが形成されている。連熱基部１７ａの内側面には、左右方向の略全長に亘って、鋸刃断面形状を備える係合凹凸部２０が形成されている。また、連結基部１７ａには、図３に示すように、これの上下方向の中央部分に形成されて横方向に延設する、横長矩形形状に開口する横長穴２１が設けられている。さらに、連結基部１７ａの係合凹凸部２０が形成された内側面１７ｂは、連結部１７の略コの字断面形状の中間辺部における連結基部１７ａを挟んだ両端部分の内側面１７ｃとの間に、張出しロッド部１５の押付け頭部１５ａの厚さと同様の段差が形成されるように設けられている（図１、図２参照）。これによって、環状保持部１６の内側に竪樋１１が保持された際に、竪樋１１の外周面によって、連結部１７の連結基部１７ａの内側に配設された張出しロッド部１５の押付け頭部１５ａを、連結基部１７ａの内側面１７ｂに向けて効果的に押し付けることができるようになっている。
【００２６】
控え金物１２を構成する張出しロッド部１５は、図１及び図２に示すように、細長い丸棒状のロッド本体部１５ｄと、これの一端部に一体として取り付けられた押付け頭部１５ａとからなる。押付け頭部１５ａは、環状保持部１６の連結部１７の連結基部１７ａに設けられた横長穴２１の縦幅よりも短い短辺と、横長穴２１の縦幅よりも長い長辺とを備える矩形平面形状を有している（図３参照）。これによって、例えば押付け頭部１５ａを横に寝かせた状態で、連結基部１７ａの外側から横長穴２１を通過させて連結基部１７ａの内側に押付け頭部１５ａを配置した後に、押付け頭部１５を９０°回転させることで、連結基部１７ａから抜けない状態で、押付け頭部１５ａを連結基部１７ａの内側に配設することができるようになっている。
【００２７】
また、押付け頭部１５ａの内側面１５ｂには、短辺と平行な断面が鋸刃断面形状となった係合凹凸部２０が形成されており、これによって押付け頭部１５を９０°回転させて長辺を縦にした状態で、押付け頭部１５ａの内側面の係合凹凸部２０を、環状保持部１６の連結基部１７ａの内側面１７ｂの係合凹凸部２０に係合させることができるようになっている。
【００２８】
本実施形態では、張出しロッド部１５のロッド本体部１５ｄの押付け頭部１５ａと近接する側の端部には、補助雄ネジ部１５ｅが設けられている。この補助雄ネジ部１５ｄには、補助ナット２３ｅが螺着されている。張出しロッド部１５の押付け頭部１５ａを、竪樋１１の外周面によって環状保持部１６の連結基部１７ａの内側面１７ｂに押し付けて、これらの内側面１５ｂ，１７ｂの係合凹凸部２０を互いに係合させた状態で、連結基部１７ａの外側から補助ナット２３ｅを締着することによって、押付け頭部１５ａと補助ナット２３ｅとの間に連結基部１７ａを強固に挟み込んで、張出しロッド部１５と環状保持部１６とを、より安定した状態で連結することが可能になる。
【００２９】
また、本実施形態では、張出しロッド１５の押付け頭部１５ａとは反対側の端部分には、雄ネジ部１５ｃが設けられており、この雄ネジ部１５ｃには、固定ナット２３ｃが螺着されている。張出しロッド１５は、外壁１３の施工時に予め設置された固定金物としての雌ネジスリーブ部材２２に雄ネジ部１５ｃを螺着することで、外壁１３の壁面１３ｂからの環状保持部１６の離れを調整可能な状態で、外壁１３に取り付けられるようになっている。
【００３０】
張出しロッド１５を螺着させる雌ネジスリーブ部材２２は、図４及び図５に示すように、例えば円板形状の取付け基部２２ａと、取付け基部２２ａの中央部分から垂直に立設して設けられた円筒形状のスリーブ本体部２２ｂとからなり、スリーブ本体部２２ｂの内周面には雌ネジ部２２ｃが設けられている。雌ネジスリーブ部材２２は、モルタル塗り外壁である外壁１３を施工する際に、モルタルを塗設するのに先立って、柱、胴縁、合板等からなる壁下地材２４に向けて、取付け基部２２ａに形成された固定孔２２ｄを介して固定クギや固定ビス等の固定金具２５を打ち込むことにより下地材２４に位置決め固定されて、予め外壁１３に組み込まれた状態で取り付けられる。
【００３１】
ここで、壁下地材２４を覆って防水シート１４が敷設されている場合には、固定金具２５を打ち込む際に、防水シート１４を貫通させることになるが、本実施形態では、例えば固定金具２５を打ち込んだ後に、例えば雌ネジスリーブ部材２２の取付け基部２２ａとこれの外周部分の防水シート１４とを一体として覆って、例えばドーナツ形状の防水テープ２６を、取付け基部２２ａ及び防水シート１４に重ねて接合するようになっている。これによって、雌ネジスリーブ部材２２の取付け箇所における、防水シート１４による外壁１３の防水性を損うことなく、雌ネジスリーブ部材２２を外壁１３に取り付けることが可能になる。
【００３２】
また、本実施形態では、雌ネジスリーブ部材２２のスリーブ本体部２２ｂの中間部分には、これの外周面から外側に円環状に突出して、中間つば部２２ｅが設けられている。中間つば部２２ｅが設けられていることで、モルタルを塗設して形成された外壁１３の表面から、雌ネジスリーブ部材２２の周面を伝って、雨水等が防水テープ２６や防水シート１４に到るまで侵入するのを、効果的に回避することが可能になる。
【００３３】
ここで、本実施形態では、雌ネジスリーブ部材２２の取付け基部２２ａから、スリーブ本体部２２ｂの先端までの高さが、外壁１３に塗設されるモルタルの厚さと同様の高さとなっている。これによって、壁下地材２４に固定した雌ネジスリーブ部材２２を塗厚ガイドとして、モルタルの塗設作業を行うことが可能になる。また、モルタルを塗設する際には、スリーブ本体部２２ｂの先端に安全キャップ２７を装着しておくことで、モルタルがスリーブ本体部２２の内部に入り込まないようにすることができる。
【００３４】
本実施形態では、上述のように雌ネジスリーブ部材２２を組み込んで外壁１３を施工した後に、塗設したモルタルが硬化したら、控え金物１２を用いて、いつでも竪樋１１の取付け作業を行うことができる。竪樋１１の取付け作業は、図１及び図２に示すように、控え金物１２の張出しロッド部１５を、これの雄ネジ部１５ｃや補助雄ネジ部１５ｅに固定ナット２３ｃや補助ナット２３ｅを螺着した状態で、押付け頭部１５ａとは反対側の雄ネジ部１５ｃを、外壁１３に固定されている雌ネジスリーブ部材２２のスリーブ本体部２２ｂの先端から、安全キャップ２６（図４参照）を取り外して螺着する。また、張出しロッド部１５の押付け頭部１５ａを、環状保持部１６の連結部１７の連結基部１７ａに設けられた横長穴２１を介して、連結基部１７ａの内側に配置すると共に、押付け頭部１５ａを９０°回転させて、係合凹凸部２０同志を係合させた状態で、張出しロッド部１５と環状保持部１６とを仮連結する。しかる後に、環状保持部１６を実際の竪樋１１の設置箇所に位置合わせする。
【００３５】
環状保持部１６を実際の竪樋１１の設置箇所に位置合わせするには、例えば環状保持部１６の可動部１８を連結部１７に対して開放させた状態で、実際の設置箇所に建て込まれた略正方形断面形状の竪樋１１の略半分の部分が、略コの字断面形状の連結部１７の内側にぴったりと納まるように、環状保持部１６の、外壁１３の壁面１３ａからの離れ方向の位置、及び外壁１３の壁面１３ａに沿った横方向の位置を調整する。
【００３６】
本実施形態では、環状保持部１６の壁面１３ａからの離れ方向の位置の調整は、雌ネジスリーブ部材２２のスリーブ本体部２２ｂに対する、張出しロッド部１５の雄ネジ部１５ｃの螺着深さを調整することで容易に行うことができる。ここで、張出しロッド部１５は、押付け頭部１５ａの長辺を縦に配置して、これの内側面の係合凹凸部２０を連結基部１７ａの内側面の係合凹凸部２０に係合させる必要があることから、張出しロッド部１５の半回転づつ、すなわち雄ネジ部１５ｃのネジピッチの半分の間隔毎に、環状保持部１６の壁面１３ａからの離れ方向の位置を調整することができる。
【００３７】
環状保持部１６の壁面１３ａに沿った横方向の位置の調整は、連結部１７の連結基部１７ａの内側面の係合凹凸部２０に対する、張出しロッド部１５の押付け頭部１５ａの内側面の係合凹凸部２０の噛合位置を調整することで容易に行うことができる。ここで、連結基部１７ａの内側面の係合凹凸部２０と、押付け頭部１５ａの内側面の係合凹凸部２０とは、いずれも鋸刃断面形状を備えるように設けられていることから、鋸刃断面形状の各刃のピッチ毎に、環状保持部１６の横方向の位置を調整することができる。
【００３８】
上述のようにして、竪樋１１が建て込まれた実際の竪樋１１の設置箇所に、環状保持部１６を位置合わせしたら、環状保持部１６の可動部１８を連結部１７に対して閉塞すると共に、着脱結合部１９ｂを係合することで、竪樋１１を内側に保持した状態で、連結部１７と可動部１８とを環状に接合一体化する（図１参照）。これに伴って、張出しロッド部１５の押付け頭部１５ａが竪樋１１の外周面によって連結基部１７ａに押し付けられることになるので、これらの内側面１５ｂ，１７ｂの係合凹凸部２０が、位置合わせされた状態で強固に係合して、張出しロッド部１５に環状保持部１６が安定した状態で連結されると共に、竪樋１１が、外壁１３の壁面１３ａに沿って安定した状態で取り付けられることになる。
【００３９】
環状保持部１６を、実際の竪樋１１の設置箇所に位置合わせして張出しロッド部１５に連結一体化したら、さらに、張出しロッド部１５の補助雄ネジ部１５ｄに螺着した補助ナット２３ｅを、連結基部１７ａの外側から連結基部１７ａに締着すると共に、張出しロッド部１５の雄ネジ部１５ｃに螺着した固定ナット２３ｅを、雌ネジスリーブ部材２２のスリーブ本体部２２ｂの先端面に締着する。これによって、張出しロッド部１５を、外壁１３から張り出させた状態で雌ネジスリーブ部材２２に強固に固定することが可能になると共に、竪樋１１を保持した環状保持部１６を、張出しロッド部１５に強固に連結することが可能になるので、竪樋１１を、外壁１３の壁面１３ａに沿ってさらに安定した状態で取り付けることが可能になる。
【００４０】
したがって、本実施形態の竪樋の取付け構造１０によれば、外壁１３の施工時に雄ネジスリーブ部材２２を予め取り付けておくことで、竪樋１１の設置時に外壁１３にクラックを生じさせたり、外壁１３に埋設された防水シート１４を破損させたりするのを効果的に回避することが可能になると共に、実際の竪樋１１の設置箇所と、予め外壁１３に位置決めされた雄ネジスリーブ部材（固定金物）２２や、これに取り付けられる控え金物１２の張出しロッド部（取付け部）１５との間に位置ずれが生ていても、環状保持部１６の位置を調整することでこのような位置ずれを吸収しながら、簡易な作業によって容易に竪樋１１を所望の設置箇所に設置して行くことが可能になる。
【００４１】
図６は、本発明の竪樋の取付け構造の他の形態を例示するものである。図６に示す竪樋の取付け構造３０は、竪樋１１’及び控え金物１２’の環状保持部１６’が、円形の断面形状を備えていること、竪樋１１’の外周面と張出しロッド部１５の押付け頭部１５ａとの間に介在して、パッキン部材３１が取り付けられていること、及び外壁１３’がサイディング材による外壁であり、固定金物がサイディング材に予め位置決めして埋め込まれたインサート部材３２であることを除いて、上記実施形態の竪樋の取付け構造１０と略同様の構成を備えている。
【００４２】
図６に示す竪樋の取付け構造３０では、サイディング材からなる外壁１３’に予め位置決めされたインサート部材３２の中空内部に設けられた雌ネジ部３２ｃに、張出しロッド部１５の雄ネジ部１５ｃを螺着することで、環状保持部１６’の外壁１３’の壁面１３ｂ’からの離れを調整可能な状態で、張出しロッド部１５が外壁１３に固定される。また、控え金物１２’の連結部１７’の連結基部１７ａ’の、外側への突出量が大きくなっている。このため、竪樋１１’の外周面と、連結基部１７ａ’の内側に配設された張出しロッド部１５の押付け頭部１５ａとの間に介在して、パッキン部材３１を取り付けることによって、環状保持部１６’の内側に竪樋１１’が装着固定された際に、パッキン部材３１を挟み込んだ状態で、竪樋１１’の外周面によって押付け頭部１５ａが連結基部１７ａ’に押し付けられるようになっている。
【００４３】
図６に示す竪樋の取付け構造３０によっても、上記本実施形態の竪樋の取付け構造１０と同様の作用効果が奏される。
【００４４】
図７は、本発明の竪樋の取付け構造の更に他の形態を例示するものである。図７に示す竪樋の取付け構造４０は、控え金物１２”の環状保持部１６”の連結部１７”の連結基部１７ａ”は、外側へ突出量することなく、コの字断面形状に中間辺部そのものによって構成されていること、及び張出しロッド部１５”は、取付け基部４１を備えていて、この取付け基部４１を介してサイディング材による外壁１３”に位置決め固定されていることを除いて、上記実施形態の竪樋の取付け構造１０と略同様の構成を備えている。
【００４５】
図７に示す竪樋の取付け構造４０では、環状保持部１６”の内側に竪樋１１が装着固定された際に、竪樋１１の中間辺部側の面を内側に弾性変形させつつ、これの外周面によって張出しロッド部１５”の押付け頭部１５ａ”を連結基部１７ａ”に押し付けるようになっている。
【００４６】
図７に示す竪樋の取付け構造４０によっても、環状保持部１６”の壁面１３ａ”からの離れ方向の位置の調整はできないものの、上記本実施形態の竪樋の取付け構造１０と略同様の作用効果が奏される。
【００４７】
なお、本発明は上記実施形態や他の形態に限定されることなく種々の変更が可能である。例えば、連結基部の内側面や押付け頭部の内側面に設けられた係合凹凸部は、鋸刃断面形状を備える係合凹凸部である必要は必ずしも無く、その他の種々の面同士を係合させる凹凸部であっても良い。また、環状保持部の２分割された連結部と可動部とは、一端部同志をピン結合部によって回動可能に接合し、他端部同志を着脱結合部によって着脱可能に係合したものである必ずしも無く、両側の端部同志を、ともに着脱可能に係合させるものであっても良い。
【符号の説明】
【００４８】
１０，３０，４０  竪樋の取付け構造
１１，１１’，１１”  竪樋
１２，１２’，１２”  控え金物
１３，１３’，１３”  外壁
１３ａ，１３ａ’，１３ａ”  壁面
１４  防水シート
１５，１５”  張出しロッド部（控え金物の取付け部）
１５ａ，１５ａ”  押付け頭部
１５ｂ  押付け頭部の内側面
１５ｃ  雄ネジ部
１６，１６’，１６”  環状保持部
１７，１７’，１７”  連結部
１７ａ，１７ａ’，１７ａ”  連結基部
１７ｂ  連結基部の内側面
１８  可動部
１９ａ  ピン結合部
１９ｂ  着脱結合部
２０  係合凹凸部
２１  横長穴
２２  雌ネジスリーブ部材（固定金物）
２２ａ  取付け基部
２２ｂ  スリーブ本体部
２２ｃ，３２ｃ  雌ネジ部
２３  側面接合金物
２３ｂ  張出しプレート部
２４  壁下地材
２５  固定金具
２６  防水テープ
３１  パッキン部材
３２  インサート部材（固定金物）
【図１】
2013014937.tif 000003
【図２】
2013014937.tif 000004
【図３】
2013014937.tif 000005
【図４】
2013014937.tif 000006
【図５】
2013014937.tif 000007
【図６】
2013014937.tif 000008
【図７】
2013014937.tif 000009